(57)【特許請求の範囲】
【請求項１】
左右の門柱のうち、一方の門柱に門扉を一端部において回動可能に取り付け、他方の門柱に前記門扉が閉められたときに受け止める戸当たり部材を取り付けてある門装置において、
前記門扉の戸先側縦框の基部の戸先側部分に、横断面形状が底面の開放された凸字形に形成された凸部と、その凸部の先端面に設けられた係止部材取付部と、前記凸部の正面及び背面に前記基部の正面及び背面から引っ込んだ位置に形成された戸当たり部とからなる戸先側端部を一体に設けるとともに、
前記戸当たり部材を、前記戸先側縦框の戸先側端部の凸部とほぼ同一の横断面形状を有する基部と、その基部の先端面に設けられた係止部材取付部と、前記基部の先端部の正面及び背面にその正面及び背面から引っ込んだ位置に形成された戸当たり部とを備えて構成して、
前記戸先側縦框の戸先側端部と前記戸当たり部材とにほぼ同一の横断面形状を備え、
横断面形状がほぼＬ字形に形成された一対の係止部材のうち、一方はそのＬ字の一辺において前記戸先側縦框の戸先側端部の係止部材取付部に、他方は一方を横端面において１８０度回転させた向きにおいてそのＬ字の一辺において前記戸当たり部材の係止部材取付部に、前記戸先側縦框の戸先側端部の係止部材取付部に固着された係止部材のＬ字の他辺は前記戸先側端部の凸部の正面（又は背面）と共通の垂直面上に存在し、前記戸当たり部材の係止部材取付部に固着された係止部材のＬ字の他辺は前記戸当たり部材の基部の背面（又は正面）と共通の垂直面上に存在するようにそれぞれ固着し、
前記戸当たり部材及び係止部材の上、下端面にこれを被覆する第１のキャップを装着するとともに、前記戸先側縦框の戸先側端部及び係止部材の上、下端面に、前記第１のキャップとほぼ同一の平面形状を有する第２のキャップを装着したことを特徴とする門装置。
【請求項２】
キャップは、戸当たり部材の基部の長手方向端面を被覆する部分と、係止部材の長手方向端面を被覆する部分と、前記戸当たり部材と前記係止部材とを接続するねじにより前記戸当たり部材取付部に固着される固着片とを一体に有するものであることを特徴とする請求項１に記載の門装置。
【発明の詳細な説明】
【技術分野】
【０００１】
本発明は、例えば、通用門などのように、左右の門柱のうち、一方の門柱に門扉を取り付け、他方の門柱に前記門扉が閉められたときに、これを受け止める戸当たり部材を取り付けてある門装置に関する。
【背景技術】
【０００２】
左右の門柱の間に門扉を１つのみ設置する場合は、一方の門柱に門扉をヒンジなどで回動自在に支持し、他方の門柱には、閉鎖される門扉の戸先側端部を受け止める戸当たり部材が取り付けられる。そして、門柱の製造コストの低減及び門扉開放勝手の左右自由選択のため、戸当たり部材は門柱とは別体に作られ、施工現場で左右勝手のいずれかに応じて、門柱に対する取り付け位置が決定される。そして、金属製門扉においては、両側の縦框は形材から形成されるため、その上、下端面の切断面を被覆するキャップが装着される。また、戸当たり部材も、金属製形材から形成されるため、同様に上、下端面の切断面を被覆するキャップが装着される。
【特許文献１】特になし
【発明の開示】
【発明が解決しようとする課題】
【０００３】
しかし、従来、門扉の縦框の上、下端部に装着されるキャップは、縦框の上、下端面の全面を被覆するため、大型であった。また、従来の門装置において用いられてきた戸当たり部材は、門柱に取り付けることができ、閉鎖される門扉の戸先側縦框を止める機能を有していれば良く、門扉の他の要素との関係を配慮する必要は無いと考えられてきた。そのため、従来の戸当たり部材は、門扉の外観形状とは無関係の形状を有していたので、戸当たり部材用キャップは門扉用キャップとは大きさと形状が全く異なるものであった。
【０００４】
従って、従来の相互関連性を持たない戸当たり部材、戸当たり部材用キャップ及び門扉用キャップは、門装置の製品価格を上げる原因になるばかりでなく、戸当たり部材と門扉の外観には美的統一性が無かった。そのため、製造コストの低減が可能で、門扉に統一性のある美観を付加することができる戸当たり部材が求められていた。
【０００５】
本発明は、上記の点に鑑みてなされたものであり、解決しようとする課題は、キャップ及び戸当たり部材の製造コストの低減、統一性ある美観の付加を可能にすることができる門装置を提供することにある。
【課題を解決するための手段】
【０００６】
上記課題を解決するため、本発明は、左右の門柱のうち、一方の門柱に門扉を一端部において回動可能に取り付け、他方の門柱に前記門扉が閉められたときに受け止める戸当たり部材を取り付けてある門装置において、前記門扉の戸先側縦框の基部の戸先側部分に、横断面形状が底面の開放された凸字形に形成された凸部と、その凸部の先端面に設けられた係止部材取付部と、前記凸部の正面及び背面に前記基部の正面及び背面から引っ込んだ位置に形成された戸当たり部とからなる戸先側端部を一体に設けるとともに、前記戸当たり部材を、前記戸先側縦框の戸先側端部の凸部とほぼ同一の横断面形状を有する基部と、その基部の先端面に設けられた係止部材取付部と、前記基部の先端部の正面及び背面にその正面及び背面から引っ込んだ位置に形成された戸当たり部とを備えて構成して、前記戸先側縦框の戸先側端部と前記戸当たり部材とにほぼ同一の横断面形状を備え、横断面形状がほぼＬ字形に形成された一対の係止部材のうち、一方はそのＬ字の一辺において前記戸先側縦框の戸先側端部の係止部材取付部に、他方は一方を横端面において１８０度回転させた向きにおいてそのＬ字の一辺において前記戸当たり部材の係止部材取付部に、前記戸先側縦框の戸先側端部の係止部材取付部に固着された係止部材のＬ字の他辺は前記戸先側端部の凸部の正面（又は背面）と共通の垂直面上に存在し、前記戸当たり部材の係止部材取付部に固着された係止部材のＬ字の他辺は前記戸当たり部材の基部の背面（又は正面）と共通の垂直面上に存在するようにそれぞれ固着し、前記戸当たり部材及び係止部材の上、下端面にこれを被覆する第１のキャップを装着するとともに、前記戸先側縦框の戸先側端部及び係止部材の上、下端面に、前記第１のキャップとほぼ同一の平面形状を有する第２のキャップを装着したことを特徴としている（請求項１）。
【０００７】
また、キャップは、戸当たり部材の戸当たり部材本体の基部の長手方向端面を被覆する部分と、係止部材の長手方向端面を被覆する部分と、戸当たり部材本体と係止部材とを接続するねじにより前記戸当たり部材取付部に固着される固着片とを一体に有するものであることを特徴としている（請求項２）。
【発明の効果】
【０００８】
請求項１の発明によれば、門扉が閉められた状態において、門扉の戸先側縦框と戸当たり部材とその間の一対の係止部材の正面及び背面がそれぞれ共通の垂直面において連続しているような外観を呈する。また、戸当たり部材及び係止部材の上、下端面にこれを被覆する第１のキャップが装着されるとともに、戸先側縦框の戸先側端部及び係止部材の上、下端面に、前記第１のキャップとほぼ同一の平面形状を有する第２のキャップが装着されるので、統一的な美観が得られる。さらに、係止部材は１種類だけで済み、戸当たり部材と戸先側縦框の戸先側端部に対して同じ要領で取付けることができるから、製造コストの低減が可能であり、部品管理及び施工が容易である。加えて、戸当たり部材と門扉の戸先側縦框には同一形状のキャップを装着するから、製造コストの低減が可能であり、部品管理及び施工が容易である。
【０００９】
請求項２の発明によれば、横断面形状が底面の開放された凸字形に形成された凸部と、その凸部の先端面に設けられた係止部材取付部と、前記凸部の正面及び背面に前記基部の正面及び背面から引っ込んだ位置に形成された戸当たり部とからなる戸先側端部を備えた戸先側縦框及び前記戸先側端部の凸部とほぼ同一の横断面形状を有する基部と、その基部の先端面に設けられた係止部材取付部と、前記基部の先端部の正面及び背面にその正面及び背面から引っ込んだ位置に形成された戸当たり部とを備えた戸当たり部材に対してキャップの取り付けが容易にできる。
【発明を実施するための最良の形態】
【００１０】
続いて、本発明の実施の形態について、図面に基づいて説明する。
図１は本発明を適用した門扉を備えた門の一例の正面図、図２は各門柱と門扉の位置関係を示す横断面図、図３は図２の円Ｘ部分の拡大図、図４は図３の中の一部分の分解図、図５はキャップの展開図、図６は戸当たり部材と門扉の戸先側縦框を引き離して示す平面図、図７は図６のＹ−Ｙ線断面図である。
【００１１】
図１において、Ｐ１，Ｐ２，Ｐ３は門柱である。門柱Ｐ１とＰ２の間に両開き門扉である受け扉Ｄ１と掛け扉Ｄ２が周知技術を用いて内開き式（家側に開く）に取り付けられて、車両用門を構成している。門柱Ｐ２とＰ３の間に片開き門扉である袖門扉Ｄ３が周知技術を用いて内開き式（家側に開く）に取り付けられて、通用門を構成している。
【００１２】
各扉Ｄ１，Ｄ２，Ｄ３は、従来と同様に、左右の縦框（１１，１１’；１２，１２’；１，１’）と上下の横框（１４，１４’。図６参照）を矩形に連結してなる枠体を有するとともに、その枠体に格子１５を取り付けて構成されている。
【００１３】
図示の例では、門柱Ｐ１とＰ３は同一の大きさであるのに対して、門柱Ｐ２は奥行き寸法の大きいものを使用し、かつ、図２に示すように、門柱Ｐ３が家側に寄った位置に立設されて、袖門扉Ｄ３が家側にセットバックされている。
【００１４】
本発明は、図１及び図２における袖門扉Ｄ３を有する通用門に適用されている。本発明は、図１，２に例示するような車両用門を有しない、左右の門柱Ｐ２，Ｐ３のみの間に１つの門扉が設置されている門にも適用可能であるが、以下には、図１の袖門扉（以下、門扉という。）Ｄ３を例に説明する。
【００１５】
図３及び図４に示すように、門扉Ｄ３の戸先側縦框１は、基部２を有し、その基部２の戸先側部分に、横断面形状が底面の開放された凸字形に形成された凸部２ａと、その凸部の先端面に設けられた係止部材取付部２ｂと、凸部２ａの正面及び背面に基部２の正面及び背面から引っ込んだ位置に形成された戸当たり部２ｃ，２ｃとからなる戸先側端部２’を一体に有している。係止部材取付部２ｂの外側には凹部３が形成されている。そして、門柱Ｐ２の家側端部近傍の通用門側に、閉鎖された時の門扉Ｄ３を受け止めるための戸当たり部材４がねじｎ２などで固着されている。
【００１６】
戸当たり部材４は、横断面形状が戸先側縦框の戸先側先端部２’の凸部２ａとほぼ等しい凸字形に形成された基部４ａと、その基部の先端に設けられた係止部材取付部４ｂと、基部４ａの先端部の正面及び背面にその正面及び背面から引っ込んだ位置に形成された戸当たり部４ｃとを有し、係止部材取付部４ｂの先端に凹部５を有している。本発明は、戸当たり部材４が、戸先側縦框の戸先側端部２’とほぼ等しい横断面形状を有している点に１つの特徴を有する。
【００１７】
そして、戸先側縦框１の係止部材取付部２ａと、戸当たり部材４の係止部材取付部４ｂとに、変形Ｌ字形に形成された係止部材７，７Ｅが固着されている。係止部材７Ｅは係止部材７を横断面において１８０度回転させた向きで用いられている。Ｌ字の一辺７１の先端には緩衝材７３が嵌着されている。本発明は、戸先側縦框１と戸当たり部材４に、同一形状の係止部材７，７Ｅが付加されている点に、もう１つの特徴を有している。
このような係止部材は、門扉Ｄ３が内開きか、外開きかにより、緩衝材７３が嵌着されている一辺７１が戸先側縦框１と戸当たり部材４の家側と道路側のいずれに位置されるかが決定される。
【００１８】
図示の例は、内開き門扉であるため、戸先側縦框１の係止部材７は、係止部材の一辺７１の緩衝材７３が家側に、かつ、基部２の家側の面と同一面上に存在し、戸当たり部材４の係止部材７Ｅは、係止部材の一辺７１の緩衝材７３が道路側に、かつ、基部２の道路側の面と同一面上に存在するように、係止部材の緩衝材７３が嵌着されていない他辺７２を、それぞれ戸先側縦框１の先端の凹部３又は戸当たり部材４の凹部５に嵌合し、一辺７１の一部を戸先側縦框１の家側の戸当り部２ｂ又は戸当たり部材４の道路側の戸当り部４ｃに当接するなどして、安定させた状態でねじｎ２により固着されている。
【００１９】
この状態で、図示されていない錠装置のハンドルＨ１，Ｈ２を操作して門扉Ｄ３を閉めると、門扉の係止部材７の一辺７１が戸当たり部材４の家側の戸当り部４ｃに接近し、緩衝材７３がその戸当り部４ｃに当接し、同時に、戸先側縦框１の戸当り部２ｃが戸当たり部材４の係止部材７Ｅの一辺７１に接近し、その戸当り部２ｃが緩衝材７３に当接する。そのため、緩衝材７３による緩衝効果が発揮されるようになっている。
【００２０】
係止部材７，７Ｅが固着された状態で、戸当たり部材４と戸先側縦框１の戸先側端部２’は、ほぼ同一の断面形状と外観を備えている。
【００２１】
図６に示すように、戸当り部材４及び係止部材７の上、下端面には、これを被覆するキャップ（第１のキャップ)８が取り付けられている。キャップ８は、図５に示すように、戸当り部材４の横断面形状とほぼ同一形状を有する第１被覆部８１の先端部に、係止部材７のＬ字形とほぼ同一形状を有する第２被覆部８２を一体に接続してなっている。第１被覆部８１は水平方向の１方向と上方又は下方に開口する溝８３を有するドーム状に形成されている。第１被覆部８１と第２被覆部８２との境界部分に、第１被覆部８１の溝の上下開口方向に延びる固着片８４が設けられている。
【００２２】
図６に示すように、縦框１の基部２の戸先側端部の上、下端面にもキャップ８（第２のキャップ)を装着することが望ましい。
図５の符号８５は戸先側縦框１の下端部に取り付けられるキャップ８Ａの第１被覆部８１に設けられる落とし棒Ｒ（図１参照）を貫通させるための孔である（戸当たり部材４の上、下端部に取り付けられるキャップ８は、落とし棒貫通用の孔８５を有しない。）。
【００２３】
上記キャップ８の戸当たり部材４及び縦框１に対する取付方法を、図６の戸先側縦框１の上端部に取り付ける場合を例に説明する。第１被覆部８１の溝８３の中に縦框１の基部２の戸先側端部２’を嵌合するとともに、第２被覆部８２を係止部材７の上端部に載せて、キャップ８により縦框１の戸先側端部２’の上端面及び係止部材７の上端面を被覆する。そして、係止部材７を縦框１に取り付けるねじｎ２をキャップ８Ａの固着片８４までねじ込んで、キャップ８を固定する。本発明は、同一形状又はほぼ同一形状のキャップ８を戸当たり部材４及び縦框１に取り付ける点にもう１つの特徴を有する。
【００２４】
図７に示すように、門扉Ｄ３の上下の横框１４，１４’は、中空短冊状の横框本体１４ａの一端部にその横框本体の厚み方向両側に突出する突条１４ｂが設けられている。縦框１，１’の厚さ寸法は、外観統一のため、全て同一に設定されている。そして、横框本体１４ａの突条１４ｂの幅寸法は、各縦框の厚さ寸法と等しくされ、横框本体１４ａの厚さ寸法は、それらの縦框の厚さよりも小さくされている。
【００２５】
そして、後述されるカバー材の幅方向両側部分を嵌着するための手段の一例として、突条１４ｂの両端部付近における横框本体１４ａと反対側の位置に、片矢状の係止片１４ｃが設けられている。上下の横框１４，１４’は、同一部材を上下対称形に左右の縦框の間に配置され、長手方向両端部が補強板９,９Ａを介して各縦框側からビスを横框本体１４ａに設けてあるビスホール１４ｄにねじ込むことにより、横框本体１４ａを縦框の厚さ方向中央に位置させて接続されている。
【００２６】
従って、横框本体１４ａの正面と各縦框の正面との間、及び横框本体１４ａの背面と各縦框の背面との間にそれぞれ段差が生じる。この段差を利用して、上側の横框１４の突条１４ｂから下側の横框１４’の突条１４ｂまで連続する格子１５を門扉に取り付けることを可能にしている。格子１５の長手方向両端部には、横框本体１４ａの輪郭形状と同一の形状を有する溝１５ａが形成されている。溝１５ａは、格子１５の長手方向端面と材軸に直角な方向に開口されている。従って、両側の溝１５ａに上下の横框１４，１４’を嵌合することにより、格子１５を装着することができる。
【００２７】
図７中、１６は上下の横框の上端部又は下端部に取り付けられるカバー材である。カバー材１６は、キャップ８の第１被覆部８１の断面形状と、これよりもやや小さな相似形に形成され、その開口面の至近位置の内側に、横框１４の係止突条１４ｂの両端部と係止片１４ｃとの間に係合して固定される突条１６ａが形成されている。
【００２８】
従って、上側の横框１４の突条１４ｂの上方からカバー材１６をその突条１４ｂに向けて押し付けることにより、カバー材１６の両側の突条１６ａを横框１４の両側の係止片１４ｃに強く嵌着して固定することができる。このとき、カバー材１６の両側壁の下端部は、横框１４の突条１４ｂよりも下方に突出するように構成されているので、横框に装着された格子１５の上端面と、突条１４ｂの下面との間の微小隙間（チリ）がそのカバー材１６の両側壁の下端部により隠蔽される。
【００２９】
カバー材１６は、門扉の上辺の両端部に取り付けられるキャップ８間の距離よりもわずかに大きい長さを有している。従って、上側の横框１４にカバー材１６を取り付けた後、上記キャップ８又は８Ａを取り付ける際は、そのカバー材１６の長手方向両端部をキャップ８の第１被覆部８１の溝８３に嵌合して、カバー材１６の長手方向両端部を被覆することができる。これにより、門扉の上辺両側のキャップとカバー材が見掛け上、一体に連続する外観を備えている。
【００３０】
下側の横框１４’に対しても、カバー材１６及びキャップ８，８Ａを同じ要領で取り付けることができ、門扉の下辺両側のキャップとカバー材が見掛け上、一体に連続する外観を備えている。
【００３１】
なお、縦框１の戸先側端部２’の上面は、キャップ８を用いずに、カバー材１６で被覆するようにしても良い。従って、縦框１の上下端面を被覆するキャップは、実質上、カバー材である。
【００３２】
以上のようにして、戸当たり部材４と、門扉Ｄ３の戸先側縦框１の戸先側端部２’は、それ自体の形状の共通性及び上下端部に同一形状のキャップ８が装着されているので、門扉Ｄ３が閉鎖されている状態では、図１,図３に示すように、門扉Ｄ３から戸当たり部材４まで連続して見える。また、係止部材７，７Ｅ、キャップ８はそれぞれ同一部材であり、それらの戸当たり部材４及び縦框１に対する取付要領が同じであるので、部品管理及び組立が容易である。
【図面の簡単な説明】
【００３３】
【図１】本発明を適用した門扉を備えた門の一例の正面図。
【図２】各門柱と門扉の位置関係を示す横断面図。
【図３】図２の円Ｘ部分の拡大図。
【図４】図３の中の一部分の分解図。
【図５】キャップの展開図。
【図６】戸当たり部材と門扉の戸先側縦框を引き離して示す平面図。
【図７】図６のＹ−Ｙ線断面図。
【符号の説明】
【００３４】
Ｄ３        袖門扉
１，１’    縦框
１          戸先側手框
２          戸先側端部
４          戸当たり部材
７，７Ｅ    係止部材
８，８Ａ    キャップ
８１        第１被覆部
８２        第２被覆部
８４        固着片
１４，１４’横框
１５        格子
１６        カバー材
【図１】
0004896752.tif 000002
【図２】
0004896752.tif 000003
【図３】
0004896752.tif 000004
【図４】
0004896752.tif 000005
【図５】
0004896752.tif 000006
【図６】
0004896752.tif 000007
【図７】
0004896752.tif 000008